(57)【要約】【課題】  中に収納した書類を確実に保持することができるファイルを提供する。【解決手段】  矩形状表てシート部１と矩形状裏シート部２を隣接する２辺Ｌ1 ，Ｌ2 を連設して他の２辺Ｌ3 ，Ｌ4 を開口状としたファイルに於て、裏シート部２に一文字型スリット３を形成するとともに、表てシート部１に上下ふたつの切欠き４をもって、スリット３に抜き差し自在な差込み片５を形成する。上側の切欠き４が指抜き６から成る。下側の切欠き４が三角形状に形成されている。【選択図】  図１
0003114115.tif 000002
【実用新案登録請求の範囲】
【請求項１】
矩形状表てシート部（１）と矩形状裏シート部（２）を隣接する２辺（Ｌ1 ）（Ｌ2 ）を連設して他の２辺（Ｌ3 ）（Ｌ4 ）を開口状としたファイルに於て、裏シート部（２）に一文字型又は円弧型のスリット（３）を形成するとともに、表てシート部（１）に切込み（７）又は切欠き（４）をもって、上記スリット（３）に抜き差し自在な差込み片（５）を形成したことを特徴とするファイル。
【請求項２】
矩形状表てシート部（１）と矩形状裏シート部（２）を隣接する２辺（Ｌ1 ）（Ｌ2 ）を連設して他の２辺（Ｌ3 ）（Ｌ4 ）を開口状としたファイルに於て、裏シート部（２）に一文字型又は円弧型のスリット（３）を形成するとともに、表てシート部（１）に上下ふたつの切欠き（４）をもって、上記スリット（３）に抜き差し自在な差込み片（５）が形成されており、かつ、上側の切欠き（４）が指抜き（６）から成ることを特徴とするファイル。
【請求項３】
矩形状表てシート部（１）と矩形状裏シート部（２）を隣接する２辺（Ｌ1 ）（Ｌ2 ）を連設して他の２辺（Ｌ3 ）（Ｌ4 ）を開口状としたファイルに於て、裏シート部（２）に一文字型又は円弧型のスリット（３）を形成するとともに、表てシート部（１）に上下ふたつの切欠き（４）をもって、上記スリット（３）に抜き差し自在な差込み片（５）が形成されており、かつ、上側の切欠き（４）が指抜き（６）から成るとともに、下側の切欠き（４）が三角形状又は半円形状又はアーチ形状に形成されていることを特徴とするファイル。
【考案の詳細な説明】
【技術分野】
【０００１】
本考案は、ファイルに関する。
【背景技術】
【０００２】
一般に、書類を整理したり持ち運んだりするために、矩形状表てシート部と矩形状裏シート部が隣接する２辺を連設して他の２辺を開口状としたファイルが公知である。
【０００３】
しかし、２辺が開口状なので、持ち運びの時などに、中に収納していた書類が不意にファイルから外れてしまうという欠点があった。特に、複数の書類がばらばらに落下しやすいという欠点があった。
【考案の開示】
【考案が解決しようとする課題】
【０００４】
解決しようとする課題は、持ち運びの時などに、中に収納していた書類が不意にファイルから外れてしまう点である。
【課題を解決するための手段】
【０００５】
そこで、本考案に係るファイルは、矩形状表てシート部と矩形状裏シート部を隣接する２辺を連設して他の２辺を開口状としたファイルに於て、裏シート部に一文字型又は円弧型のスリットを形成するとともに、表てシート部に切込み又は切欠きをもって、上記スリットに抜き差し自在な差込み片を形成したものである。
また、矩形状表てシート部と矩形状裏シート部を隣接する２辺を連設して他の２辺を開口状としたファイルに於て、裏シート部に一文字型又は円弧型のスリットを形成するとともに、表てシート部に上下ふたつの切欠きをもって、上記スリットに抜き差し自在な差込み片が形成されており、かつ、上側の切欠きが指抜きから成るものである。
また、矩形状表てシート部と矩形状裏シート部を隣接する２辺を連設して他の２辺を開口状としたファイルに於て、裏シート部に一文字型又は円弧型のスリットを形成するとともに、表てシート部に上下ふたつの切欠きをもって、上記スリットに抜き差し自在な差込み片が形成されており、かつ、上側の切欠きが指抜きから成るとともに、下側の切欠きが三角形状又は半円形状又はアーチ形状に形成されているものである。
【考案の効果】
【０００６】
本考案のファイルによれば、中に収納した書類を確実に保持することができる。
【考案を実施するための最良の形態】
【０００７】
図１・図２は、本考案の第１の実施の形態の使用状態を示す。このファイルは、透明若しくは半透明又は不透明のプラスチックから成る。そして、内部に書類Ｓを収納して使用する。
具体的には、矩形状表てシート部１と矩形状裏シート部２が隣接する２辺Ｌ1 ，Ｌ2 を連設して他の２辺Ｌ3 ，Ｌ4 を開口状とされている。後述の一文字型スリット３に差込み片５が差し込まれている。
【０００８】
図３に示すように、裏シート部２の上記開口状の２辺Ｌ3 ，Ｌ4 のうち長い方（長辺）の近傍に一文字型スリット３が形成されている。このスリット３は長片Ｌ3 と平行状である。
図４に示すように、表てシート部１に上下ふたつの切欠き４（ノッチ）をもって、スリット３に抜き差し自在な差込み片５が形成されている。上側の切欠き４が半円形状の指抜き６から成る。本考案に於て、「指抜き」とは、掴む際に指（例えば親指）が表てシート部１を逃げるための切欠凹部のことをいうと定義する。下側の切欠き４が三角形状に形成されている。
【０００９】
図５は、第２の実施の形態を示す。下側の切欠き４がアーチ形状に形成されている。
【００１０】
図６は、第３の実施の形態を示す。表てシート部１に切欠き４及び切込み７をもって、差込み片５が形成されている。すなわち、表てシート部１は、差込み片５の下端８に切込み７を有する。
【００１１】
図７は、第４の実施の形態を示す。表てシート部１に上下２本の切込み７をもって、スリット３に抜き差し自在な差込み片５が形成されている。
【００１２】
なお、本考案は設計変更自在であって、例えば、切欠き４の形状は、半円形等であっても良い。また、スリット３を円弧型に形成するも良い。
【００１３】
以上のように、本考案は、矩形状表てシート部１と矩形状裏シート部２を隣接する２辺Ｌ1 ，Ｌ2 を連設して他の２辺Ｌ3 ，Ｌ4 を開口状としたファイルに於て、裏シート部２に一文字型又は円弧型のスリット３を形成するとともに、表てシート部１に切込み７又は切欠き４をもって、スリット３に抜き差し自在な差込み片５を形成したので、スリット３に差込み片５を差込んで、中に収納した書類Ｓを確実に保持することができる。また、容易に製造することができる。
【００１４】
また、矩形状表てシート部１と矩形状裏シート部２を隣接する２辺Ｌ1 ，Ｌ2 を連設して他の２辺Ｌ3 ，Ｌ4 を開口状としたファイルに於て、裏シート部２に一文字型又は円弧型のスリット３を形成するとともに、表てシート部１に上下ふたつの切欠き４をもって、スリット３に抜き差し自在な差込み片５が形成されており、かつ、上側の切欠き４が指抜き６から成るので、スリット３に差込み片５を差込んで、中に収納した書類Ｓを確実に保持することができる。また、容易に製造することができる。また、差込み片５の抜き差しを容易に行なうことができる。
【００１５】
また、矩形状表てシート部１と矩形状裏シート部２を隣接する２辺Ｌ1 ，Ｌ2 を連設して他の２辺Ｌ3 ，Ｌ4 を開口状としたファイルに於て、裏シート部２に一文字型又は円弧型のスリット３を形成するとともに、表てシート部１に上下ふたつの切欠き４をもって、スリット３に抜き差し自在な差込み片５が形成されており、かつ、上側の切欠き４が指抜き６から成るとともに、下側の切欠き４が三角形状又は半円形状又はアーチ形状に形成されているので、スリット３に差込み片５を差込んで、中に収納した書類Ｓを確実に保持することができる。また、容易に製造することができる。また、差込み片５の抜き差しを容易に行なうことができる。さらに、下側の切欠き４を半円形状又はアーチ形状に形成したものは、切欠き４から亀裂が生じるのを防止することができる。
【図面の簡単な説明】
【００１６】
【図１】本考案の第１の実施の形態の使用状態を示す正面図である。
【図２】図１のＡ−Ａ拡大断面図である。
【図３】裏シート部を示す説明用要部拡大正面図である。
【図４】表てシート部を示す説明用要部拡大正面図である。
【図５】第２の実施の形態を示す説明用要部拡大正面図である。
【図６】第３の実施の形態を示す説明用要部拡大正面図である。
【図７】第４の実施の形態を示す説明用要部拡大正面図である。
【符号の説明】
【００１７】
１  表てシート部
２  裏シート部
３  スリット
４  切欠き
５  差込み片
６  指抜き
７  切込み
Ｌ1 辺
Ｌ2 辺
Ｌ3 辺
Ｌ4 辺
【図１】
0003114115.tif 000003
【図２】
0003114115.tif 000004
【図３】
0003114115.tif 000005
【図４】
0003114115.tif 000006
【図５】
0003114115.tif 000007
【図６】
0003114115.tif 000008
【図７】
0003114115.tif 000009